(57)【特許請求の範囲】
【請求項１】
エレベータかごにクーラーを搭載し、かご内へ涼風を送り込むファンを備えたエレベータかご内送風装置において、
呼びに応じてエレベータかごのドアを開いた時点から、走行後ドアを閉じるまでの運転期間を、複数の期間に分割し、各期間ごとに異なる強さでかご内へ涼風を送り込む風量切替手段を備え、
前記複数の期間は、エレベータの戸開停止期間、加速走行期間、および減速期間を、それぞれ異なる期間として含み、それぞれの期間に異なる強さでかご内へ涼風を送り込むことを特徴とするエレベータかご内の送風装置。
【請求項２】
請求項１において、前記エレベータの戸開停止期間には、前記加速走行期間よりも多い風量で、涼風を送り込むことを特徴とするエレベータかご内の送風装置。
【請求項３】
請求項１において、前記エレベータの加速走行期間には、前記減速期間よりも多い風量で、涼風を送り込むことを特徴とするエレベータかご内の送風装置。
【請求項４】
エレベータかごにクーラーとファンを搭載し、かご内へ涼風を送り込むエレベータかご内の送風方法において、呼びに応じてエレベータかごのドアを開いた時点から、走行後ドアを閉じるまでの運転期間を、戸開停止，加速走行，および減速期間を異なる複数の期間として分割し、各期間ごとに異なる強さでかご内へ涼風を送り込むことを特徴とするエレベータかご内の送風方法。
【発明の詳細な説明】
【技術分野】
【０００１】
本発明は、エレベータのかご内に涼風を送り込むエレベータかご内の送風装置および方法の改良に関するものである。
【背景技術】
【０００２】
特許文献１には、エレベータ乗りかごの天井に設けた風を送るファンを、ゆらぎ特性を有するように、速度を自動調整する自動調整装置を設けたものがある。
【０００３】
また、特許文献２には、エレベータ乗りかごの側板に送風機と、この送風機を手動で起動させるスイッチを設けたものがある。
【０００４】
さらに、特許文献３には、エレベータ乗りかご内に、建物の用途に関連した画像を表示する表示装置と、表示に関連した音響装置を設けたものがある。
【０００５】
【特許文献１】特開２００２−１５４７７１号公報
【特許文献２】特開平９−３１５７３７号公報
【特許文献３】特開平３−１８２４８９号公報
【発明の開示】
【発明が解決しようとする課題】
【０００６】
しかしながら、特許文献１では、乗りかご天井からの１／ｆゆらぎ特性の送風のみで、乗り込んできた乗客の置かれた状況に無関係で、今一歩、乗客に対するサービス性に欠けるうらみがあった。
【０００７】
また、特許文献２では、乗客に、乗りかごの側板に設けたスイッチを操作させるものであるため、不慣れな利用者には不便で、清涼感にあふれたサービスができない場合があった。
【０００８】
さらに、特許文献３では、建物の用途に関連した宣伝のイメージを与えてしまい、やはり、清涼感にあふれたサービスとは言いがたいものであった。
【０００９】
本発明の目的は、エレベータ乗りかご内に乗り込んできた乗客の置かれた状況に応じて変化のある清涼感を与えるサービスを実現することである。
【課題を解決するための手段】
【００１０】
本発明の望ましい実施態様においては、エレベータかごにクーラーを搭載し、かご内へ涼風を送り込むファンを備えたエレベータかご内送風装置において、呼びに応じてエレベータかごのドアを開いた時点から、走行後ドアを閉じるまでの運転期間を、複数の期間に分割し、各期間毎に異なる強さでかご内へ涼風を送り込む風量切替手段を備えたことを特徴とする。
【００１１】
本発明の具体的な実施形態においては、前記複数の期間は、エレベータの戸開停止期間、加速走行期間、および減速期間を、それぞれ異なる期間として含み、それぞれの期間に異なる強さでかご内へ涼風を送り込む。望ましくは、エレベータの戸開停止期間に強風、加速走行期間に弱風、および減速期間に微風というように、これら３期間では、次第に弱まる涼風とする。
【００１２】
本発明の望ましい実施態様においては、かごの側板の送風孔に拡散器を備え、温度および／または湿度の所定の上昇を含む予定の暑さを感知したとき、拡散器のプロペラの回転と拡散板の回転を異ならせることによって、拡散された横風の涼風を送り込む。
【発明の効果】
【００１３】
本発明の望ましい実施態様によれば、エレベータ乗りかご内に乗り込んできた乗客の置かれた状況に応じて変化のある清涼感を与えるサービスを実現することができる。
【００１４】
本発明のその他の目的と特徴は、以下に述べる実施態様の中で明らかにする。
【発明を実施するための最良の形態】
【００１５】
以下、本発明の一実施例について、図面に基づいて説明する。
【００１６】
図１は、本発明の一実施例によるエレベータかご内の送風装置の全体構造を示すイメージ図である。本実施例のエレベータは、乗りかご１の側板部に、図示しない送風孔と、この送風孔に設置した冷風を自動拡散する拡散器２を備えている。また、この送風孔に、チューブ３を通して冷風を送るクーラー４と、天井ファン５とを搭載している。さらに、この実施例では、音響付液晶表示器６と、サーモスイッチ７とを備えている。
【００１７】
乗りかご１の天井上には、通常通り、器具ボックス８を搭載し、昇降路内に設置されるテールコード９を介して、制御盤１０との間で信号を伝達する。
【００１８】
制御盤１０には、マイクロコンピュータ１１を備えており、クーラー４内のサーモスイッチ７の温度検知判定に始まり、各種タイマーの検知判定、乗りかごの運転モードの検知判定などに応じて、後述するクーラー４の冷風量自動切替え指令や、音響内蔵の液晶表示器６の音響パターンと表示パターンの自動切換え指令などを発する。
【００１９】
図２は、本発明の一実施例による拡散器２の構造を示す(Ａ）側面断面図と(Ｂ)正面図である。軸受２１に固定された回転軸２２に取り付けたプロペラ２３と、これとは回転の異なる回転軸２４に取り付けられた拡散板２５により、冷風を自動拡散し、うちわで扇いだような癒し系の涼風に変換する。
【００２０】
図３は、本発明の一実施例によるマイクロコンピュータ１１による処理フローである。
【００２１】
図４は、本発明の一実施例によるエレベータの速度カーブと拡散涼風サービスの関係を説明するタイムチャートである。
【００２２】
以下、本発明の一実施例による動作を図３の処理フローに基づいて説明する。
【００２３】
まず、図３のステップ３０１において、サーモスイッチ７が所定の高温を検知したか判定する。所定の高温を検知しなければ、処理を終了する。さて、サーモスイッチ７が所定の高温を検知すれば、ステップ３０２により、乗りかご１が呼びに応じて戸開しかつ未だ停止中であるかを判定する。戸開停止中であれば、ステップ３０３において、クーラー４からの強冷風を拡散器２で拡散させて、癒し系ではあるが強い涼風をかご１内の乗客に対し、横風として送り込む。これによって、かご１内に乗り込んできたばかりの乗客は、暑い折でもあり、かご１内の涼しさに救われたような気持ちになる。
【００２４】
やがて、乗りかご１のドアが閉まって走行を開始すると、ステップ３０２の判定がＮＯに変わり、ステップ４０４に進んで、乗りかご１が加速又は高速走行中かを判定する。この判定結果がＹＥＳの状態が、減速開始されるまで続き、この間、ステップ３０５で、クーラー４からの弱冷風を拡散器２で拡散して、かご１内に送り込む。したがって、乗り込んだ途端、涼しさに救われた乗客は、エレベータの起動に伴い、今度は、弱冷風の拡散された横風に癒されることとなる。
【００２５】
次に、乗りかご１が停止階に近づき、減速開始すると、ステップ３０４の判定がＮＯに変わり、ステップ３０６において、乗りかご１が減速中又は停止戸閉中かを判定する。したがって、乗りかご１が目標停止階に停止してドアを開くまで、ステップ３０７において、クーラー４からの微弱冷風を拡散器２で拡散して、かご１内に送り込む。このため、十分に、涼しさを味わった乗客は、穏やかな、拡散された微弱冷風の下で、エレベータドアが開くのを待つことができる。
【００２６】
最後に、エレベータドアが開き、ステップ３０６の判定がＮＯ（戸開）に変われば、ステップ３０８において送風を停止する。
【００２７】
ただし、暑い状況の下で、さらに呼びがあれば、繰り返し起動される図３の処理フローのステップ３０１，３０２に続くステップ３０３において、クーラー４からの強冷風を拡散器２で拡散させて、強い涼風をかご１内に、横風として送り込むこととなる。
【００２８】
以上の実施例では、サーモスイッチ７による高温検知により、拡散された涼風サービスを実行するものとしたが、高温だけでなく、所定の湿度との組み合わせ、あるいは、マイクロコンピュータ１１内の夏冬タイマーの検知判定との組み合わせなどにより、蒸し暑さを感知できれば、これに応じて、前記サービスを実行すればよい。
【００２９】
図５は、本発明の他の実施例において追加できるサービス例としての音響つき表示画面を示している。
【００３０】
図５において、液晶表示画面６は、かご１内の乗客から見やすい位置に設置されており、花火６１が打ち上げられた様子を表示している。同時に、スピーカ６２，６３から、花火の打ち上げ、開花に合わせて、音響を鳴らす。
【００３１】
この表示および音響サービスは、前述の加速・高速走行中に実行することが望ましい。
【００３２】
例えば、まず、マイクロコンピュータ１１内の夏冬タイマーの検知判定により夏を検知し、さらに、時間帯タイマーの検知判定により所定時間を検知すると、音響内蔵の液晶表示器６の音響パターンと表示パターンが、乗りかご１のサービス開始（起動・加速）で音響と共に花火が打ち上げられ、乗りかご１の走行中には連続で音響と多種の花火が連続表示され、乗りかご１のサービス完了（減速開始または停止）で花火表示を終了する。
【００３３】
尚、本実施例では、マイクロコンピュータ１１内の夏冬タイマーと、時間帯タイマーで説明したが、制御盤１０へ各々タイマーを設けたものでも良い。
【００３４】
また、音響内蔵の液晶表示器６の音響パターンと表示パターンを花火の打ち上げモードで説明したが、サーフィンなど清涼感のある表示モードに切替えても良い。
【００３５】
さらに、かごの側板部からの横風のみで説明したが、天井からの送風と組み合わせることもできる。
【図面の簡単な説明】
【００３６】
【図１】本発明の一実施例によるエレベータかご内の送風装置の全体構造を示すイメージ図である。
【図２】本発明の一実施例による拡散器２の構造を示す(Ａ）側面断面図と(Ｂ)正面図である。
【図３】本発明の一実施例によるマイクロコンピュータ１１による処理フローである。
【図４】本発明の一実施例によるエレベータの速度カーブと拡散涼風サービスの関係を説明するタイムチャートである。
【図５】本発明の他の実施例において追加できるサービス例としての音響つき表示画面である。
【符号の説明】
【００３７】
１…乗りかご、２…拡散器、３…チューブ、４…クーラー、５…天井ファン、６…音響付液晶表示器、７…サーモスイッチ、８…器具ボックス、９…テールコード、１０…制御盤、１１…マイクロコンピュータ。
【図１】
0005058888.tif 000002
【図２】
0005058888.tif 000003
【図３】
0005058888.tif 000004
【図４】
0005058888.tif 000005
【図５】
0005058888.tif 000006